(57)【特許請求の範囲】
【請求項１】
一次側および二次側の接続口を水平方向に備え、二次側内部に垂直方向に弁室を形成すると共に、当該弁室の上端を開口した本体と、この本体の前記弁室に前記開口を介して取出し可能に内蔵するボール弁体を含む逆止弁ユニットと、前記弁室を密封可能に前記開に脱着する蓋と、この蓋と前記逆止弁ユニットを垂直方向に一体に連結するジョイントとからなり、
前記逆止弁ユニットは、側面に流路を確保した円筒状のバスケットと、このバスケットの下端に設けた弁座とからなり、前記バスケットの内部にボール弁体を収容してなり、
また、前記ジョイントは、蓋と逆止弁ユニットのバスケットを分離可能に連結するものであって、
当該ジョイントは、逆止弁ユニットが挿通可能な雌ネジ孔の下縁内周に内向きのフランジを形成した袋ナット状に構成する一方、前記逆止弁ユニットは、バスケットの上縁にジョイントの前記内向きフランジと係止可能な外向きのフランジを設けてなり、さらに、前記蓋の下部にはジョイントの前記雌ネジ孔と螺合する雄ネジを形成したことを特徴とする逆止弁装置。
【請求項２】
蓋に弁室と連通可能な圧逃し孔を穿設すると共に、この圧逃し孔に栓体を着脱可能に設けた請求項１記載の逆止弁装置。
【請求項３】
一次側および二次側の接続口を水平方向に備え、二次側内部に垂直方向に弁室を形成すると共に、当該弁室の上端を開口した本体と、この本体の前記弁室に前記開口を介して取出し可能に内蔵するボール弁体を含む逆止弁ユニットと、前記弁室を密封可能に前記開に脱着する蓋と、この蓋と前記逆止弁ユニットを垂直方向に一体に連結するジョイントとからなり、
前記逆止弁ユニットは、側面に流路を確保した円筒状のバスケットと、このバスケットの下面に設けた弁座とからなり、前記バスケットの内部にボール弁体を収容してなり、
蓋に弁室と連通可能な圧逃し孔を穿設すると共に、この圧逃し孔に栓体を着脱可能に設けたことを特徴とする逆止弁装置。
【請求項４】
ジョイントは、蓋と逆止弁ユニットのバスケットを分離可能に連結する請求項３記載の逆弁装置。
【発明の詳細な説明】
【技術分野】
【０００１】
この発明は、逆止弁ユニットを交換可能に内蔵した逆止弁装置に関するものである。
【背景技術】
【０００２】
逆止弁ユニットを交換可能に内蔵した逆止弁装置は、例えば特許文献１の図５・６に示されており、両端に一次・二次側の接続口を有し、上下方向に貫設した内部通孔を介してその二次側を垂直方向の弁室とすると共に、弁室の上端を開口して投入口を開設してなる本体と、投入口に着脱可能に取り付けられる蓋と、前記弁室に取出し可能に内蔵した逆止弁ユニットとからなる。
【０００３】
この構成において逆止弁ユニットは、ボール弁体を円筒状のバスケットに収容したボール式逆止弁であり、流れが正常な場合、一次圧や浮力によってボール弁体が浮上して通孔を開弁する一方、逆流が生じた場合には、逆圧（二次圧）や自重によってボール弁体が落下し、通孔を閉弁するものである。そして、配管を分解せずとも、本体から蓋を外すだけで逆止弁ユニットを取り出すなどのメンテナンスが行え、必要であれば新しい逆止弁ユニットに交換することができる。
【０００４】
【特許文献１】特開平７−２８０１１４号公報
【発明の開示】
【発明が解決しようとする課題】
【０００５】
しかしながら、上記従来技術によれば、メンテナンスに際して、蓋を取り外す作業は市販の工具を用いて比較的簡単に行い得るものの、蓋を取り外すだけではユニット式の逆止弁が本体に残留するため、蓋の取り外しとは別に、逆止弁を取り出す作業が必要であった。この点、水道配管では、水道メータの二次側に逆止弁を接続したメータボックスを地中に埋設するが、その逆止弁として上記構成の逆止弁装置を採用した場合、本体から内蔵の逆止弁ユニットを取出し、交換するためには、狭小空間であるメータボックスに手を突っ込んで無理な体勢での作業が強いられていた。特に、寒冷対策としてメータボックスを通常よりも深く（例えば６０ｃｍ程度）埋設している場合には、その作業はより困難なものであった。
【０００６】
本発明は上述した課題に鑑みなされたもので、その目的とするところは、逆止弁ユニットを容易に取り出すことができ、メンテナンスをより簡単に行い得る逆止弁装置を提供することである。
【課題を解決するための手段】
【０００７】
上述した目的を達成するために本発明では、従来技術を改良して、内蔵の逆止弁ユニットを蓋と一緒に脱着可能に構成する手段を採用した。即ち、本発明は、一次側および二次側の接続口を水平方向に備え、二次側内部に垂直方向に弁室を形成すると共に、当該弁室の上端を開口した本体と、この本体の前記弁室に前記開口を介して取出し可能に内蔵するボール弁体を含む逆止弁ユニットと、前記弁室を密封可能に前記開口に脱着する蓋と、この蓋と前記逆止弁ユニットを垂直方向に一体に連結するジョイントとからなる。
【０００８】
逆止弁ユニットは、側面に流路を確保した円筒状のバスケットと、このバスケットの下面に設けた弁座とからなり、前記バスケットの内部にボール弁体を収容してなることが好ましい。
【０００９】
また、ジョイントは、蓋と逆止弁ユニットのバスケットを分離可能に連結する構造が好ましいが、特に、逆止弁ユニットが挿通可能な雌ネジ孔の下縁内周に内向きのフランジを形成した袋ナット状に構成する一方、逆止弁ユニットは、バスケットの上縁にジョイントの前記内向きフランジと係止可能な外向きのフランジを設けてなり、さらに、蓋の下部にはジョイントの前記雌ネジ孔と螺合する雄ネジを形成することが好ましい。
【００１０】
これとは別に、ジョイントは、逆止弁ユニットのバスケットの上端に一体化されたナットであり、蓋には前記ジョイントの雌ネジと螺合する雄ネジを形成することが好ましい。
【００１１】
蓋に弁室と連通可能な圧逃し孔を穿設すると共に、この圧逃し孔に栓体を着脱可能に設けることが好ましい。
【発明の効果】
【００１２】
本発明の逆止弁装置は、ジョイントによって密封蓋と逆止弁ユニットを連結した構成であるため、密閉蓋を取り出せば、これと一緒に逆止弁ユニットも取り外すことが可能となり、逆止弁ユニットの交換やメンテナンスの作業性が向上する。また、逆止弁ユニットとしてボール式逆止弁を採用することによって、構造が簡単で高い逆流防止機能を得ることができる。また、袋ナット状のジョイントを採用すれば、逆止弁ユニットおよび蓋を従来構造から若干変更するだけで済む。一方、ジョイントを逆止弁ユニットのバスケットに一体かしたものにあっては、部品点数を少なくでき、本体への組み付けや分解を少ない工数で行うことができる。さらに、蓋に圧抜き栓を設けたものは、密閉蓋を安全に且つ容易に取り外すことができる。
【発明を実施するための最良の形態】
【００１３】
以下、本発明の好ましい実施の形態を添付した図面に従って説明する。図１は本発明の一実施形態に係る逆止弁装置の組立断面図であり、１は本体、２は蓋、３は圧抜き栓、４は逆止弁ユニット、５はジョイントである。
【００１４】
各部材の構成を、分解断面図を図２を併用して詳述すると、先ず、本体１は、水平方向の両端に一次側および二次側の接続口１ａ・１ｂを備え、その内部には一次側接続口１ａの口軸と直交して通孔１ｃを貫設した座１ｄを形成すると共に、通孔１ｃの二次側に円筒状の弁室１ｅを垂直方向に形成している。また、弁室１ｅ上端を開口して弁室１ｅと連通する投入口１ｆを形成すると共に、この投入口１ｆの内周にはパッキン溝１ｇを形成し、さらにその下方には雌ネジ１ｈを刻設している。なお、本実施形態では、一次側接続口１ａと二次側接続口１ｂをこれら口軸が水平方向に同軸上に設けているが、二次側流路は本体内部において弁室１ｅの側方から９０度下方に屈曲している。そして、当該構成によって、本実施形態の弁装置は、いわゆる横配管に適用するものである。
【００１５】
蓋２は、弁室１ｅを密閉可能に本体１の前記投入口１ｅに脱着するものであり、下部を下方に延長した胴部周面にはパッキン溝１ｇに水密に係合するＯリング部２ａを設けると共に、投入口１ｅの雌ネジ１ｈに螺合する雄ネジ２ｂを刻設しており、さらにこの雄ネジ２ｂの下方には、縮径段部を介して下段雄ネジ２ｃを刻設している。また、蓋２の胴部下面には弁室１ｅと同径の凹陥部２ｄが形成され、蓋２を本体１に取り付けた状態で、弁室１ｅを上方に延長するように構成している。また、圧抜き栓３は、蓋２の上面から凹陥部２ｄまで貫設し、弁室１ｅと外部とを連通可能とした雌ネジ孔２ｅに螺合するネジに構成している。なお、この蓋２は、既存の工具によって脱着可能で、例えば、レンチ等に対応して上面に角軸２ｆを設けた設けたものである。
【００１６】
次に逆止弁ユニット４は、本体１の弁室に取出し可能に内蔵するもので、この実施形態の場合、ボール式逆止弁を採用したものである。即ち、この逆止弁ユニット４は、上下面および側面を開放して流路を確保した円筒状のバスケット４ａにボール弁体４ｂを昇降自在に収容したものである。また、バスケット４ａの下面には、弁体４ｂの弁座４ｃを設けると共に、当該下部を本体１の座１ｄに水密に嵌合するように構成している。さらに、バスケット４ｂの上端外周には外向きのフランジ４ｄを形成している。
【００１７】
そして、ジョイント５は、上記逆止弁ユニット４を蓋２の下部に垂直方向に一体に連結するものであって、この実施形態の場合、袋ナット状に構成している。即ち、ジョイント５は、外周にローレット６を形成した円筒部材の下端に逆止弁ユニット４の外向きフランジ４ｄが係止可能な内向きのフランジ５ａを形成すると共に、その中心孔に蓋２の下段雄ネジ２ｃと螺合する雌ネジ５ｂを刻設してなる。ジョイント５の中心孔（雌ネジ孔）は、外向きフランジ４ｄを除いて逆止弁ユニット４が挿通可能な径に設定される。
【００１８】
上記構成からなる逆止弁装置によれば、配管の流れが正常な場合、一次側からの流体圧力や浮力により、逆止弁ユニット４のボール弁体４ｂが浮上して弁座４ｃから離脱し、通孔１ｃを開弁する一方、これとは逆の流れが発生すれば、弁体４ｂが二次圧または自重により弁座４ｃに着座することで通孔１ｃを閉弁し、逆流を防止する。
【００１９】
そして、本装置をメンテナンスするには、本装置を配管から取り外すことなく、図３に示した手順により行い得る。即ち、先ず、一次側の元栓を閉めるなどして配管の流れを止めた状態とし、蓋２から圧抜き栓３を外すことで装置内の封入圧を開放する（図３（ａ）参照）。これによって、次の蓋２の取り外し作業を安全且つ容易に行う。装置内の封入圧を開放した後、既存の工具を用いて蓋２を回し、本体１からの取り外し作業を行う（図３（ｂ）参照）。このとき、逆止弁ユニット４はジョイント５によって蓋２と結合しているため、蓋２の取り外しと同時に、本体１から逆止弁ユニット４の引き抜き作業も完了する。なお、本装置が深埋設されている場合は、適宜工具に延長ツールを接続して蓋２の取り外し作業を行う。
【００２０】
取り外した蓋２から逆止弁ユニット４を分離するには、ジョイント５を回して蓋２との螺合を解除する（図３（ｃ）参照）。このとき、ジョイント５の外周にはローレット６が設けられているため、工具を用いることなく、手回しでジョイント５を蓋２から取り外すことができる。
【００２１】
ここでジョイント５と逆止弁ユニット４は、互いのフランジ４ｄ・５ａが係止しているだけであるから、ジョイント５から逆止弁ユニット４を簡単に引き抜くことができ、短時間で分解作業が完了する（図３（ｄ）参照）。
【００２２】
この分解状態で、本体１は投入口１ｅによって内部点検でき、蓋２のＯリングなど各種パッキン類、逆止弁ユニット４の弁体を点検した後、必要であればこれらを交換する。この中には、もちろん逆止弁ユニット４を含む。そして、上記と逆の手順によって、本体１に部材を組み込むことができる。
【００２３】
なお、上記実施形態では、逆止弁ユニット４としてボール式逆止弁を採用したが、スプリング式逆止弁など、上記本体１に対応して通孔を開閉し得るユニット構造であれば、他の弁構成を採用することも可能である。また、蓋２の本体１に対する取付構造をネジ式としたが、内圧等によって蓋が不用意に外れない構成であれば、他の脱着構造を採用することも可能である。さらに、ジョイント５を逆止弁ユニット４と別体に構成したが、一体構成とすることも可能である。この場合、逆止弁ユニット４のバスケットの一端にジョイント５を一体成形すればよい。
【図面の簡単な説明】
【００２４】
【図１】本発明の一実施形態に係る逆止弁装置の組立断面図
【図２】同、分解断面図
【図３】同、分解手順を示した説明図
【符号の説明】
【００２５】
１  本体
２  蓋
３  圧抜き栓
４  逆止弁ユニット
５  ジョイント
６  ローレット
【図１】
0005214959.tif 000002
【図２】
0005214959.tif 000003
【図３】
0005214959.tif 000004